(57)【要約】【課題】第１の観察領域に第１の画像を提供し、第２の観察領域に第２の画像を提供する表示装置において、第１及び第２の画像からなる２重像を抑止する。【解決手段】第１の画像を表示する第１の画素列１０Ａと第２の画像を表示する第２の画素列１０Ｂとが交互に配置されてなる表示パネル１０が配置されている。表示パネル１０の上方には、第１の画素列１０Ａ及び第２の画素列１０Ｂに対して平行に交互に延びる第１の遮光部３１及び第１の開口部３２を備えた第１の遮光板３０が配置されている。さらに、第１の遮光板３０の上方には、第１の画素列１０Ａ及び第２の画素列１０Ｂに対して平行に交互に延びる第２の遮光部４１及び第２の開口部４２を備えた第２の遮光板４０が配置されている。ここで、第２の遮光板４０の各第２の遮光部４１は、第１の遮光板３０の各第１の開口部３２に対応して配置されている。【選択図】  図２
2007264081.tif 000002
【特許請求の範囲】
【請求項１】
第１の観察領域に第１の画像を提供し、第２の観察領域に第２の画像を提供する表示装置であって、
前記第１の画像を表示する第１の画素列と前記第２の画像を表示する第２の画素列とが交互に配置されてなる表示パネルと、
前記表示パネルの上方に配置され、前記第１の画素列及び前記第２の画素列に対して平行に交互に延びる第１の遮光部及び第１の開口部を備えた第１の遮光板と、
前記第１の遮光板の上方に配置され、前記第１の画素列及び前記第２の画素列に対して平行に交互に延びる第２の遮光部及び第２の開口部を備えた第２の遮光板と、を備え、
前記第２の遮光部は、前記第１の開口部に対応して配置されていることを特徴とする表示装置。
【請求項２】
前記第２の遮光部の幅は、前記第１の開口部の幅よりも小さいことを特徴とする請求項１記載の表示装置。
【請求項３】
前記第２の遮光部のピッチは、前記第１の遮光部のピッチよりも小さいことを特徴とする請求項１又は請求項２に記載の表示装置。
【請求項４】
前記表示パネルの真正面上の点と前記第１の画素列もしくは前記第２の画素列とを結ぶ線が、前記第１の開口部及び前記第２の開口部を通過するように、前記第１の遮光部及び前記第２の遮光部が配置されていることを特徴とする請求項１、２、３のいずれかに記載の表示装置。
【請求項５】
前記第１の画素列及び前記第２の画素列は、それぞれ、複数の行単位に区分され、各行で交互に配置されており、
前記第１の遮光板の前記第１の遮光部及び前記第１の開口部は、それぞれ、複数の行単位に区分され、各行で交互に配置されていることを特徴とする請求項１、２、３、４のいずれかに記載の表示装置。
【請求項６】
前記第１の画素列及び前記第２の画素列は、それぞれ、複数の行単位に区分され、各行で交互に配置されており、
前記第２の遮光板の前記第２の遮光部及び前記第２の開口部は、それぞれ、複数の行単位に区分され、各行で交互に配置されていることを特徴とする請求項１、２、３、４のいずれかに記載の表示装置。
【発明の詳細な説明】
【技術分野】
【０００１】
本発明は、表示装置に関し、特に、第１の観察領域に第１の画像を提供し、第２の観察領域に第２の画像を提供する表示装置に関する。
【背景技術】
【０００２】
従来より、テレビ受像機や情報機器等に搭載される表示装置として、表示用の液晶パネル（ＬＣＤ；Ｌｉｑｕｉｄ  Ｃｒｙｓｔａｌ  Ｄｉｓｐｌａｙ，以降、「ＬＣＤ」と略称する）を用いた液晶表示装置等が知られている。液晶表示装置等の表示装置に関しては、近年の情報機器等の多様化に伴い、第１の観察領域に第１の画像を提供し、第２の観察領域に第２の画像を提供する２画面表示が知られている。
【０００３】
次に、２画面表示を行う従来例に係る表示装置について、図面を参照して説明する。図５は、従来例に係る表示装置を説明する断面図である。図５に示すように、第１の画像を表示する第１の画素列１０Ａと第２の画像を表示する第２の画素列１０Ｂとが交互に配置されてなる表示パネル１０が配置されている。ここで、第１及び第２の画素列１０Ａ，１０Ｂは、例えば液晶層を備えた画素からなる。また、第１及び第２の画素列１０Ａ，１０Ｂの各画素間には、いわゆるブラックマトリクス１１が形成されている。そして、表示パネル１０の上方には、不図示のガラス基板等の透明基板を介して、遮光機能を有した金属もしくは樹脂等からなる遮光板５０が配置されている。遮光板５０は、第１の画素列１０Ａ及び第２の画素列１０Ｂに対して平行に交互に延びる遮光部５１及び開口部５２を備えている。
【０００４】
次に、上記構成により２画面表示が実現される仕組みについて説明する。図５に示すように、表示パネル１０の真正面の位置Ｃから左方向に離れた第１の観察領域Ａには、遮光板５０の開口部５２を通して第１の画素列１０Ａから第１の画像が提供される。このとき、第２の画素列１０Ｂの第２の画像は、遮光板５０の遮光部５１により遮られるため、第１の観察領域Ａには提供されない。
【０００５】
一方、表示パネル１０の真正面の位置Ｃから右方向に離れた第２の観察領域Ｂには、遮光板５０の開口部５２を通して第２の画素列１０Ｂから第２の画像が提供される。このとき、第１の画素列１０Ａの第１の画像は、遮光板５０の遮光部５１により遮られるため、第２の観察領域Ｂには提供されない。こうして、第１の観察領域Ａに第１の画像を提供し、第２の観察領域Ｂに第２の画像を提供する２画面表示が行われる。
【０００６】
なお、本願に関連する技術文献としては、以下の特許文献が挙げられる。
【特許文献１】特開２００５−２５８０１６号公報
【発明の開示】
【発明が解決しようとする課題】
【０００７】
しかしながら、上述した表示装置による２画面表示では、表示パネル１０を、その真正面の位置Ｃ及びその近傍から観察した場合、第１及び第２の画像が重畳してなる２重像が発生していた。即ち、第１の画像と第２の画像との識別ができなくなり、２画面表示の表示品位が低下していた。
【課題を解決するための手段】
【０００８】
そこで本発明は、第１の観察領域に第１の画像を提供し、第２の観察領域に第２の画像を提供する表示装置において、第１及び第２の画像からなる２重像を抑止するものである。
【０００９】
本発明は、第１の観察領域に第１の画像を提供し、第２の観察領域に第２の画像を提供する表示装置であって、第１の画像を表示する第１の画素列と前記第２の画像を表示する第２の画素列とが交互に配置されてなる表示パネルと、表示パネルの上方に配置され、第１の画素列及び第２の画素列に対して平行に交互に延びる第１の遮光部及び第１の開口部を備えた第１の遮光板と、第１の遮光板の上方に配置され、第１の画素列及び第２の画素列に対して平行に交互に延びる第２の遮光部及び第２の開口部を備えた第２の遮光板と、を備え、第２の遮光部は、第１の開口部に対応して配置されていることを特徴とする。
【発明の効果】
【００１０】
本発明の表示装置によれば、第１の観察領域に第１の画像を提供し、第２の観察領域に第２の画像を提供する表示装置において、表示パネルを、その真正面の位置及びその近傍から観察した場合における第１及び第２の画像からなる２重像を抑止し、従来例に比して２画面表示の表示品位を向上させることができる。
【発明を実施するための最良の形態】
【００１１】
次に、本発明の第１の実施形態に係る表示装置について図面を参照して説明する。図１は、本発明の実施形態に係る表示装置を説明する平面図である。図１（Ａ）、図１（Ｂ）、及び図１（Ｃ）には、それぞれ、後述する表示パネル１０、それに重畳する第１の遮光板３０、及び第２の遮光板４０が別個に示されている。また、図２は、図１のＸ−Ｘ線に沿った断面図である。即ち、図２では、後述する第１の画素列１０Ａ及び第２の画素列１０Ｂと直交する方向の断面を示している。なお、図１及び図２では、図５に示したものと同一の構成要素については同一の符号を付して説明を行うものとする。
【００１２】
図１及び図２に示すように、第１の画像を表示する第１の画素列１０Ａと第２の画像を表示する第２の画素列１０Ｂとが交互に配置されてなる表示パネル１０が配置されている。第１及び第２の画素列１０Ａ，１０Ｂの各画素間には、いわゆるブラックマトリクス１１が配置されている。ここで、第１及び第２の画素列１０Ａ，１０Ｂは、例えば液晶層を備えた画素からなる。もしくは、第１及び第２の画素列１０Ａ，１０Ｂは、液晶層を備えた画素に限定されず、その他の画素、例えば有機エレクトロルミネセンス素子を発光素子として備えた画素からなるものであってもよい。
【００１３】
そして、表示パネル１０の上方には、不図示のガラス基板等の透明基板を介して、遮光機能を有した金属もしくは樹脂等からなる第１の遮光板３０が配置されている。第１の遮光板３０は、図５に示した遮光板５０と同様である。即ち、第１の遮光板３０は、第１の画素列１０Ａ及び第２の画素列１０Ｂに対して平行に交互に延びる第１の遮光部３１及び第１の開口部３２を備えている。
【００１４】
さらに、第１の遮光板３０の上方には、不図示のガラス基板等の透明基板を介して、遮光機能を有した金属もしくは樹脂等からなる第２の遮光板４０が配置されている。第２の遮光板４０は、第１の画素列１０Ａ及び第２の画素列１０Ｂに対して平行に交互に延びる第２の遮光部４１及び第２の開口部４２を備えている。ここで、第２の遮光板４０の各第２の遮光部４１は、第１の遮光板３０の各第１の開口部３２に対応して配置されている。
【００１５】
さらに、第１の遮光板３０及び第２の遮光板４０の詳細な構成について説明すると、第２の遮光部４１の幅Ｗ２は、第１の開口部３２の幅Ｓ１よりも小さい。また、第２の遮光部４１のピッチＰＣ２は、第１の遮光部３１のピッチＰＣ１よりも小さい。
【００１６】
次に、上記構成により２画面表示が実現される仕組みについて図面を参照して説明する。図２に示すように、表示パネル１０の真正面の位置Ｃから左方向に離れた第１の観察領域Ａには、第１の開口部３２及び第２の開口部４２を通して、第１の画素列１０Ａから第１の画像が提供される。このとき、第２の画素列１０Ｂの第２の画像は、第１の遮光部３１及び第２の遮光部４１により遮られるため、第１の観察領域Ａには提供されない。なお、表示パネル１０の真正面の位置Ｃとは、第１及び第２の画素列１０Ａ，１０Ｂと直交する方向で表示パネル１０を略２分割する線上の鉛直線上の位置を意味する。
【００１７】
一方、表示パネル１０の真正面の位置Ｃから右方向に離れた第２の観察領域Ｂには、第１の開口部３２及び第２の開口部４２を通して、第２の画素列１０Ｂから第２の画像が提供される。このとき、第１の画素列１０Ａの第１の画像は、第１の遮光部３１及び第２の遮光部４１により遮られるため、第２の観察領域Ｂには提供されない。
【００１８】
ここで、表示パネル１０の真正面の位置Ｃに対しては、第１の画素列１０Ａの第１の画像、及び第２の画素列１０Ｂの第２の画像は、いずれも、第１の遮光部３１もしくは第２の遮光部４１により遮られるため提供されない。このような第１の画像及び第２の画像のいずれも提供されることのない非観察領域は、表示パネル１０の真正面の位置Ｃのみならず、その両側にも所定の幅を以って存在する。図２では、表示パネル１０の真正面の位置Ｃの左側の非観察領域をＬ１とし、右側の非観察領域をＬ２として示している。こうして、表示パネル１０の２画面表示を実現する際には、表示パネル１０の真正面の位置Ｃ及びその近傍において、従来例にみられたような第１の画像及び第２の画像からなる２重像を抑止することができる。結果として、従来例に比して２画面表示の表示品位を向上させることができる。
【００１９】
しかしながら、上記第１の実施形態では、表示パネル１０の真正面の位置Ｃ及びその近傍において２重像が抑止されるものの非観察領域となっていた。そこで、本発明の発明者は、２重像を抑止しつつ、かつ表示パネルの真正面の位置Ｃ及びその近傍を非観察領域としない２画面表示を想到するに至った。次に、この２画面表示を行う本発明の第２の実施形態について図面を参照して説明する。
【００２０】
図３は、本発明の第２の実施形態に係る表示装置を説明する断面図である。図３では、図１のＸ−Ｘ線に沿った断面を示しており、図２に示したものと同様の構成要素については同一の符号を付して説明を行うものとする。また、図３では、後述するように、表示パネル１０、第１の遮光板３０、及び第２の遮光板４０の配置関係は、図１及び図２に示したものとは異なる。
【００２１】
即ち、図３に示すように、表示パネル１０の真正面の位置Ｃ及びその近傍と第１の画素列１０Ａもしくは第２の画素列１０Ｂとを結ぶ線が、第１の開口部３２及び第２の開口部４２を通過するように、前記第１の遮光部３１及び前記第２の遮光部４１が配置されている。別の表現をすれば、第１の開口部３２及び第２の遮光部４１を通過する線の延長線上に、表示パネル１０の真正面の位置Ｃ及びその近傍が存在しない。
【００２２】
この構成により、表示パネル１０の真正面の位置Ｃ及びその近傍に対して、第１の画像もしくは第２の画像のいずれか一方のみを提供することができる。図３では、表示パネル１０の真正面の位置Ｃ及びその近傍に第２の画素列１０Ｂの第２の画像が提供される場合を示している。また、第１の実施形態と同様に、第１の観察領域Ａには第１の画像が提供され、第２の観察領域Ｂには第２の画像が適用される。このように、本実施形態では、２重像を抑止しつつ、かつ表示パネル１０の真正面の位置Ｃ及びその近傍を非観察領域としない２画面表示を実現することができる。
【００２３】
なお、上記第１及び第２の実施形態の表示パネル１０、第１の遮光板３０及び第２の遮光板４０は、上記構成に限定されず、少なくとも上記と同等の効果を奏するものであれば、下記のように配置されてもよい。図４は、本発明の第１及び第２の実施形態に係る表示装置を説明する平面図である。図４（Ａ）、図４（Ｂ）及び図４（Ｃ）には、それぞれ、表示パネル１０、それに重畳する第１の遮光板３０Ｇ、及び第２の遮光板４０Ｇが別個に示されている。
【００２４】
図４（Ａ）に示すように、第１の画素列１０Ａ及び第２の画素列１０Ｂは、それぞれ、さらに複数の行単位に区分され、各行で交互に配置されてもよい。さらに、このときの第１の画素列１０Ａ及び第２の画素列１０Ｂに対応して、図４（Ｂ）に示すように、第１の遮光板３０Ｇの第１の遮光部３１及び第１の開口部３２は、行単位に区分され、各行で交互に配置されてもよい。同様に、図４（Ｃ）に示すように、第２の遮光板４０Ｇの第２の遮光部４１及び第２の開口部４２は、行単位に区分され、各行で交互に配置されてもよい。これにより、観察される第１及び第２の画像が列単位のみならず行単位にも交互に存在するため、２画面表示の際の視認性をさらに向上させることができる。
【図面の簡単な説明】
【００２５】
【図１】本発明の第１の実施形態に係る表示装置を説明する平面図である。
【図２】本発明の第１の実施形態に係る表示装置を説明する断面図である。
【図３】本発明の第２の実施形態に係る表示装置を説明する断面図である。
【図４】本発明の第１及び第２の実施形態に係る表示装置を説明する平面図である。
【図５】従来例に係る表示装置を説明する断面図である。
【符号の説明】
【００２６】
１０  表示パネル            １０Ａ  第１の画素列    １０Ｂ  第２の画素列
１１  ブラックマトリクス    ３０    第１の遮光板    ３１  第１の遮光部
３２  第１の開口部          ４０  第２の遮光板      ４１  第２の遮光部
４２  第２の開口部          Ａ  第１の観察領域      Ｂ  第２の観察領域
Ｃ  表示パネル１０の真正面の位置
【図１】
2007264081.tif 000003
【図２】
2007264081.tif 000004
【図３】
2007264081.tif 000005
【図４】
2007264081.tif 000006
【図５】
2007264081.tif 000007